(57)【要約】      （修正有）【課題】複数の参拝場所を備え、これら複数の参拝場所において参拝を同時に行うことができる自動納骨堂参拝施設を提供する。【解決手段】遺骨を収納する納骨装置と、納骨装置を保管する保管庫と、納骨装置を保管庫から出し入れする搬送装置１０と、納骨装置を配置して参拝者による参拝に供する参拝装置とを備えた自動納骨堂参拝施設は、搬送装置１０が納骨装置を保管庫から出し入れするための複数のフォーク１と、フォーク１を支持する鉛直方向に延びる支持部材３と、フォーク１を支持部材３に沿って鉛直方向に昇降させるための昇降装置５と、支持部材３及びフォーク１を水平方向に走行させるための走行装置６とを備え、搬送装置１０が保管庫の水平方向の長さに沿って走行可能であるように構成され、参拝装置が複数備えられ、複数の参拝装置に納骨装置が同時又は連続的に配置されるように構成されている。【選択図】図１
2017031742.tif 000002
【特許請求の範囲】
【請求項１】
遺骨を収納する納骨装置と、
前記納骨装置を保管する保管庫と、
前記納骨装置を前記保管庫から出し入れする搬送装置と、
前記納骨装置を配置して参拝者による参拝に供する参拝装置と、
を備えた自動納骨堂参拝施設であって、
前記搬送装置が、
前記納骨装置を前記保管庫から出し入れするための複数のフォークと、
前記フォークを支持する鉛直方向に延びる支持部材と、
前記フォークを前記支持部材に沿って鉛直方向に昇降させるための昇降装置と、
前記支持部材及び前記フォークを水平方向に走行させるための走行装置とを備え、
前記搬送装置が、前記保管庫の水平方向の長さに沿って走行可能であるように構成され、
前記参拝装置が複数備えられ、複数の前記参拝装置に前記納骨装置が同時又は連続的に配置されるように構成されている、前記自動納骨堂参拝施設。
【請求項２】
前記複数のフォークが互いに上下に配置されている、請求項１に記載の自動納骨堂参拝施設。
【請求項３】
前記複数のフォークがそれぞれ独立して昇降可能であるように構成されている、請求項２に記載の自動納骨堂参拝施設。
【請求項４】
前記複数のフォークが互いに固定されている、請求項２に記載の自動納骨堂参拝施設。
【請求項５】
前記複数のフォークが水平方向に配置されている、請求項１に記載の自動納骨堂参拝施設。
【請求項６】
前記フォークの鉛直方向にさらに別のフォークが配置されている、請求項５に記載の自動納骨堂参拝施設。
【請求項７】
鉛直方向に配置された複数のフォークがそれぞれ独立して昇降可能であるように構成されている、請求項６に記載の自動納骨堂参拝施設。
【請求項８】
鉛直方向に配置された複数のフォークが互いに固定されている、請求項６に記載の自動納骨堂参拝施設。
【請求項９】
前記参拝装置に既に配置された前記納骨装置を前記参拝装置から取出すとともに、前記搬送装置により前記保管庫から出した前記納骨装置を、前記参拝装置に配置する入替装置をさらに備える請求項１〜８のいずれかに記載の自動納骨堂参拝施設。
【請求項１０】
参拝者による参拝が終了したら、前記入替装置が作動して、終了した参拝の対象であった納骨装置を次の参拝の対象である納骨装置と入れ替えて前記参拝装置に配置するように構成されている、請求項９に記載の自動納骨堂参拝施設。
【発明の詳細な説明】
【技術分野】
【０００１】
本発明は、自動納骨堂参拝施設に関する。
【背景技術】
【０００２】
近年の墓地不足の解消と利便性追求のために、いわゆる自動納骨堂が考案され、利用されている（例えば、特許文献１を参照）。自動納骨堂は、骨壺等に納めた遺骨を一括して所定の場所に収納しておき、参拝者が訪れると、運搬装置により遺骨を収納場所から祭壇又は墓石まで運搬し、参拝が終わると、再び運搬装置により遺骨を収納場所に戻すというものである。
【先行技術文献】
【特許文献】
【０００３】
【特許文献１】特開２０１０−１３８５９６号公報
【発明の概要】
【発明が解決しようとする課題】
【０００４】
従来の自動納骨堂は、参拝に備えて、参拝対象である遺骨を収納場所から取り出して祭壇又は墓石等の参拝場所まで運搬し設置し、また、参拝が終われば次の参拝に備えて、参拝の終わった遺骨を参拝場所から取り出して収納場所に戻してから、さらに次の参拝対象である別の遺骨を収納場所から取り出して参拝場所まで運搬し設置するものであった。
【０００５】
しかし、彼岸やお盆など参拝者が集中する時期には、このような準備に時間を要するために、参拝するために参拝者が待機する時間が発生し、参拝者において多大なストレスを感じるという問題があった。
【０００６】
また、自動納骨堂において複数の参拝場所を備えている場合では、参拝場所ごとに独立して参拝が行われ、参拝場所により参拝や準備に要する時間が異なるために、一方の参拝場所で先に待機している参拝者よりも、他方の参拝場所で遅れて待機している参拝者の方が早く参拝できる場合が生じることがあり、参拝者において不公平感や多大なストレスを感じるという問題もあった。
【０００７】
そこで、本発明は、彼岸やお盆など参拝者が集中する時期であっても、参拝の待機時間を限りなく短縮できる自動納骨堂参拝施設を提供することを目的とする。
【０００８】
また、本発明は、複数の参拝場所を備え、これら複数の参拝場所において参拝を同時に行うことができる自動納骨堂参拝施設を提供することを目的とする。
【課題を解決するための手段】
【０００９】
本発明によれば、以下の自動納骨堂参拝装置等を提供できる。
１．遺骨を収納する納骨装置と、
前記納骨装置を保管する保管庫と、
前記納骨装置を前記保管庫から出し入れする搬送装置と、
前記納骨装置を配置して参拝者による参拝に供する参拝装置と、
を備えた自動納骨堂参拝施設であって、
前記搬送装置が、
前記納骨装置を前記保管庫から出し入れするための複数のフォークと、
前記フォークを支持する鉛直方向に延びる支持部材と、
前記フォークを前記支持部材に沿って鉛直方向に昇降させるための昇降装置と、
前記支持部材及び前記フォークを水平方向に走行させるための走行装置とを備え、
前記搬送装置が、前記保管庫の水平方向の長さに沿って走行可能であるように構成され、
前記参拝装置が複数備えられ、複数の前記参拝装置に前記納骨装置が同時又は連続的に配置されるように構成されている、前記自動納骨堂参拝施設。
２．前記複数のフォークが互いに上下に配置されている、１に記載の自動納骨堂参拝施設。
３．前記複数のフォークがそれぞれ独立して昇降可能であるように構成されている、２に記載の自動納骨堂参拝施設。
４．前記複数のフォークが互いに固定されている、２に記載の自動納骨堂参拝施設。
５．前記複数のフォークが水平方向に配置されている、１に記載の自動納骨堂参拝施設。
６．前記フォークの鉛直方向にさらに別のフォークが配置されている、５に記載の自動納骨堂参拝施設。
７．鉛直方向に配置された複数のフォークがそれぞれ独立して昇降可能であるように構成されている、６に記載の自動納骨堂参拝施設。
８．鉛直方向に配置された複数のフォークが互いに固定されている、６に記載の自動納骨堂参拝施設。
９．前記参拝装置に既に配置された前記納骨装置を前記参拝装置から取出すとともに、前記搬送装置により前記保管庫から出した前記納骨装置を、前記参拝装置に配置する入替装置をさらに備える、１〜８のいずれかに記載の自動納骨堂参拝施設。
１０．参拝者による参拝が終了したら、前記入替装置が作動して、終了した参拝の対象であった納骨装置を次の参拝の対象である納骨装置と入れ替えて前記参拝装置に配置するように構成されている、９に記載の自動納骨堂参拝施設。
【発明の効果】
【００１０】
本発明によれば、彼岸やお盆など参拝者が集中する時期であっても、参拝の待機時間を限りなく短縮できる自動納骨堂参拝施設を提供できる。また、本発明によれば、複数の参拝場所を備え、これら複数の参拝場所において参拝を同時に行うことができる自動納骨堂参拝施設を提供できる。
【図面の簡単な説明】
【００１１】
【図１】図１は、本発明の自動納骨堂参拝施設における搬送装置の一態様を示す図である。
【図２】図２は、本発明の自動納骨堂参拝施設における搬送装置の一態様を示す図である。
【図３】図３は、本発明の自動納骨堂参拝施設における搬送装置の一態様を示す図である。
【図４】図４は、本発明の自動納骨堂参拝施設における搬送装置の一態様を示す図である。
【図５】図５は、本発明の自動納骨堂参拝施設における搬送装置の一態様を示す図である。
【図６】図６は、本発明の自動納骨堂参拝施設において使用することができる入替装置の一態様を示す図である。
【図７】図７は、本発明の自動納骨堂参拝施設において使用することができる入替装置の一態様を示す図である。
【図８】図８は、本発明の自動納骨堂参拝施設の省エネ能力を説明する図である。
【発明を実施するための形態】
【００１２】
以下、本発明の自動納骨堂参拝施設の実施形態について説明する。
本発明の自動納骨堂参拝施設は、遺骨を収納する納骨装置と、前記納骨装置を保管する保管庫と、前記納骨装置を前記保管庫から出し入れする搬送装置と、前記納骨装置を配置して参拝者による参拝に供する参拝装置と、前記参拝装置に既に配置された前記納骨装置を前記参拝装置から取出すとともに、前記搬送装置により前記保管庫から出した前記納骨装置を、前記参拝装置に配置する入替装置と、を備えることを特徴とする。
そして、前記搬送装置が、前記納骨装置を前記保管庫から出し入れするための複数のフォークと、前記フォークを支持する鉛直方向に延びる支持部材と、前記フォークを前記支持部材に沿って鉛直方向に昇降させるための昇降装置と、前記支持部材及び前記フォークを水平方向に走行させるための走行装置とを備えることを特徴とする。
そしてさらに、前記搬送装置が、前記保管庫の水平方向の長さに沿って水平方向に走行可能であるように構成され、複数の前記参拝装置に前記納骨装置が同時又は連続的に配置されるように構成されていることを特徴とする。
【００１３】
本発明の自動納骨堂参拝施設は、このような特定の構成を有することにより、お盆や彼岸などの繁忙期における自動納骨堂参拝施設の混雑を解消できる。
【００１４】
本発明において、納骨装置は、遺骨を収納する装置であり、その構造や寸法は特に限定されない。遺骨は、通常、骨壺又は骨袋に納められるので、納骨装置は、骨壺又は骨袋、あるいはこれらの両方を収納できるものであることが好ましい。納骨装置は、例えば、特願２０１４−２２３１６９に開示される納骨装置を使用することができる。
【００１５】
本発明において、保管庫は、参拝時以外のときに納骨装置を保管する倉庫である。保管庫は、多数の納骨装置を保管できるような寸法を有する。その構造は特に限定されない。
【００１６】
本発明において、搬送装置は、納骨装置を保管庫から出し入れする機能を有する。搬送装置により、参拝の対象である納骨装置を保管庫から取り出すことができ、また、参拝が終わった後の納骨装置を保管庫に収納することができる。本発明において使用する搬送装置は、具体的には、納骨装置を保管庫から出し入れするための複数のフォークと、フォークを支持する鉛直方向に延びる支持部材と、フォークを支持部材に沿って鉛直方向に昇降させるための昇降装置と、前記支持部材及び前記フォークを水平方向に走行させるための走行装置とを備えることを特徴とする。
【００１７】
搬送装置が複数のフォークを備えることにより、フォークの数と同じ数の納骨装置を一度に保管庫から出し入れすることができる。
複数のフォークは、鉛直方向に延びる支持部材により支持され、昇降装置の働きにより支持部材に沿って鉛直方向に昇降できるように構成される。これにより、フォークは、保管庫の高さ全体をカバーでき、鉛直方向の任意の高さに保管された納骨装置を出し入れすることができる。
また、搬送装置は、少なくとも保管庫の水平方向の長さに沿って、水平方向に走行可能であるように構成される。具体的には、搬送装置は、搬送装置（フォーク、支持部材、及び昇降装置を含む）を水平方向に走行させるための走行装置を備えるので、フォークは、保管庫全体の水平方向の長さをカバーでき、水平方向の任意の位置に保管された納骨装置を出し入れすることができる。
【００１８】
フォークは、納骨装置を保管庫から出し入れできるように構成されていれば特に限定されないが、例えば、スライドして納骨装置を保管庫の棚に受け渡すスライド手段と、納骨装置を載せる荷台手段とを有するものであってもよい。また、フォークは、いわゆる自動倉庫において使用されるスタッカクレーンを適宜組み合わせて、複数のフォークとして使用することができる。
【００１９】
これら複数のフォークを運用する方法としては、例えば、全数のうち半分の数のフォークを、納骨装置を参拝装置から取り出して保管庫に戻すために使用するものとし、残り半分の数のフォークを、納骨装置を保管庫から取り出して参拝装置に配置するために使用するものとすることができる。すなわち、参拝装置１つに対して２つのフォークを使用する。この場合、納骨装置を同時に入れ替えできる参拝装置の数は、自動納骨堂参拝施設が備える複数のフォークの数の半数となる。
例として、自動納骨堂参拝施設が４つのフォークを備える場合、２つのフォークは納骨装置を保管庫から取り出して参拝装置に配置するために使用し、残り２つのフォークは納骨装置を保管庫から取り出して参拝装置に配置するために使用する。このとき、２つの参拝装置は、納骨装置を同時に入れ換えることができる。
納骨装置を同時に入れ替えできる参拝装置の数を増やすためには、後述する入替装置を利用することができる。
【００２０】
本発明の一態様においては、搬送装置が備える複数のフォークは、互いに上下に配置されていてもよい。この場合、搬送装置は、保管庫の鉛直方向の同一直線上にある棚から、複数の納骨装置を同時に又は連続して出し入れすることができる。
また、本発明の別の態様においては、複数のフォークは、互いに上下に配置され、かつ、それぞれ独立して昇降可能であるように構成されていてもよい。この場合、それぞれのフォークにより複数の納骨装置を同時に又は連続して保管庫から出し入れすることができる。
また、本発明のさらに別の態様においては、複数のフォークは、互いに上下に配置され、かつ、互いに固定されていてもよい。この場合、複数のフォークは一体となって支持部材に沿って昇降し、複数の納骨装置を同時に又は連続して保管庫から出し入れすることができる。
【００２１】
図１に、本発明の自動納骨堂参拝施設における搬送装置の一態様を示す。図１の搬送装置１０は、二つのフォーク１、２を有し、支持部材３、昇降装置４、５、走行装置６を備える。二つのフォーク１、２は、互いに上下に配置され、互いに分離した独立の部材であり、それぞれ独立して昇降装置４、５により制御され、独立して支持部材３に沿って鉛直方向に昇降する。搬送装置１０は、走行装置６の働きにより、走行レール７に沿って全体（フォーク１、２；支持部材３；昇降装置４、５；走行装置６）が一体として水平方向に走行する。
【００２２】
図２に、本発明の自動納骨堂参拝施設における搬送装置の一態様を示す。図２の搬送装置１０は、二つのフォーク１、２を有し、支持部材３、昇降装置４、走行装置６を備える。二つのフォーク１、２は、互いに上下に配置され、互いに固定された部材であり、昇降装置４により制御され、一体となって支持部材３に沿って鉛直方向に昇降する。搬送装置１０は、走行装置６の働きにより、走行レール７に沿って全体（フォーク１、２；支持部材３；昇降装置４；走行装置６）が一体として水平方向に走行する。
【００２３】
本発明の一態様においては、搬送装置が備える複数のフォークは、水平方向に配置されていてもよい。この場合、搬送装置は、水平方向に配置された複数のフォークにより、保管庫の鉛直方向の異なる直線上にある棚から、複数の納骨装置を出し入れすることができる。
また、この態様において、一のフォークの鉛直方向にさらに別のフォークが配置されていてもよい。これにより、フォークの数と同じ数の納骨装置を保管庫から出し入れすることができる。
さらに、このとき、鉛直方向に配置された複数のフォークが、それぞれ独立して昇降可能であるように構成されていてもよく、あるいは、互いに固定されていてもよい。
【００２４】
図３に、本発明の自動納骨堂参拝施設における搬送装置の一態様を示す。図３の搬送装置１０は、フォーク１Ａ、支持部材３Ａ、昇降装置４Ａ、走行装置６Ａを備えた搬送装置１０Ａと、フォーク１Ｂ、支持部材３Ｂ、昇降装置４Ｂ、走行装置６Ｂを備えた搬送装置１０Ｂとを二つ水平方向に配置し、連結装置８により連結した構成である。フォーク１Ａは、昇降装置４Ａにより制御され、支持部材３Ａに沿って鉛直方向に昇降し、フォーク１Ｂは、昇降装置４Ｂにより制御され、支持部材３Ｂに沿って鉛直方向に昇降する。搬送装置１０は、走行装置６Ａ、６Ｂの働きにより、走行レール７に沿って全体（フォーク１Ａ、１Ｂ；支持部材３Ａ、３Ｂ；昇降装置４Ａ、４Ｂ；走行装置６Ａ、６Ｂ；連結装置８）が一体として水平方向に走行する。この搬送装置１０Ａ、１０Ｂは連結したどちらか一方が故障した場合、切り離して一台だけで動くようにコントロールすることができる。
【００２５】
図４に、本発明の自動納骨堂参拝施設における搬送装置の一態様を示す。図４の搬送装置１０は、図３の態様の搬送装置において、フォーク１Ａ、１Ｂの鉛直方向にそれぞれさらに別のフォーク２Ａ、２Ｂが配置され、すべてのフォークがそれぞれ独立して昇降可能であるように構成されたものである。搬送装置１０Ａにおいて、鉛直方向の同一直線上にある二つのフォーク１Ａ、２Ａは、それぞれ独立して昇降装置４Ａ、５Ａにより制御され、独立して支持部材３Ａに沿って鉛直方向に昇降する。同様に搬送装置１０Ｂにおいて、鉛直方向の同一直線上にある二つのフォーク１Ｂ、２Ｂは、それぞれ独立して昇降装置４Ｂ、５Ｂにより制御され、独立して支持部材３Ｂに沿って鉛直方向に昇降する。搬送装置１０は、走行装置６Ａ、６Ｂの働きにより、走行レール７に沿って全体（フォーク１Ａ、２Ａ、１Ｂ、２Ｂ；支持部材３Ａ、３Ｂ；昇降装置４Ａ、５Ａ、４Ｂ、５Ｂ；走行装置６Ａ、６Ｂ；連結装置８）が一体として水平方向に走行する。この搬送装置１０Ａ、１０Ｂは連結したどちらか一方が故障した場合、切り離して一台だけで動くようにコントロールすることができる。
【００２６】
図５に、本発明の自動納骨堂参拝施設における搬送装置の一態様を示す。図５の搬送装置１０は、図３の態様の搬送装置において、フォーク１Ａ、１Ｂの鉛直方向にそれぞれさらに別のフォーク２Ａ、２Ｂが配置され、上下に位置するフォーク１Ａと２Ａ、フォーク１Ｂと２Ｂが、それぞれ互いに固定されたものである。搬送装置１０Ａにおいて、鉛直方向の同一直線上にある二つのフォーク１Ａ、２Ａは、昇降装置４Ａにより制御され、一体となって支持部材３Ａに沿って鉛直方向に昇降する。同様に搬送装置１０Ｂにおいて、鉛直方向の同一直線上にある二つのフォーク１Ｂ、２Ｂは、昇降装置４Ｂにより制御され、一体となって支持部材３Ｂに沿って鉛直方向に昇降する。搬送装置１０は、走行装置６Ａ、６Ｂの働きにより、走行レール７に沿って全体（フォーク１Ａ、２Ａ、１Ｂ、２Ｂ；支持部材３Ａ、３Ｂ；昇降装置４Ａ、４Ｂ；走行装置６Ａ、６Ｂ；連結装置８）が一体として水平方向に走行する。この搬送装置１０Ａ、１０Ｂは連結したどちらか一方が故障した場合、切り離して一台だけで動くようにコントロールすることができる。
【００２７】
本発明において、参拝装置は、納骨装置を設置して、参拝者による参拝に供するものである。本発明において使用する参拝装置は、納骨装置を設置できるものであることを条件として特に限定されない。一般的には、和型又は洋型の墓を模した形状のものであることが好ましく、また、遺族の名字を表示できるものであることが好ましい。参拝装置は、例えば、特願２０１４−２２３１６９に開示される参拝装置を使用することができる。
【００２８】
本発明の自動納骨堂参拝施設は、さらに入替装置を有していてもよい。本発明において、入替装置は、参拝装置に既に配置された納骨装置を参拝装置から取出すとともに、搬送装置により保管庫から出した納骨装置を、参拝装置に配置する装置である。すなわち、入替装置は、参拝装置から納骨装置を取出して搬送装置に移す第一の機能と、搬送装置から受け取った納骨装置を参拝装置に配置する第二の機能とを有するように構成されたものであれば、特に限定されない。
【００２９】
本発明において使用可能な入替装置の一態様は、例えば、次のような動作をすることができるように構成されたものである。すなわち、参拝が終わった後、参拝の対象であった納骨装置を参拝装置から取出し、取出した納骨装置を、参拝装置と搬送装置とをつなぐ経路上に存在しないように移動する。次いで、別の新しい納骨装置を搬送装置から受け取って参拝装置に配置し、移動していた納骨装置を参拝装置と搬送装置とをつなぐ経路上に戻して、搬送装置に移す。搬送装置に移された納骨装置は、搬送装置により搬送され保管庫に収納される。
【００３０】
本発明において入替装置を用いることにより、参拝装置１つに対してフォークを１つ使用すればよい。
【００３１】
本発明の自動納骨堂参拝施設において使用できる入替装置は、例えば、図６に示す装置を挙げることができる。図６において、入替装置２０は、台座２１の上にふたつのスライド機構２２、２４を有する。スライド機構２２、２４は、その上に納骨装置を載置して、搬送装置（図示せず）との間で納骨装置を受け渡したり、参拝装置との間で納骨装置を受け渡したりする機能を有する。また、スライド機構２２、２４は、スライド機構自体が台座２１の上で可動であるように構成される。スライド機構２２は、参拝が終わった後、参拝の対象であった納骨装置を参拝装置の取入れ口２８から取出す機能を有する。参拝装置の取入れ口２８は、参拝装置に納骨装置を配置したり、参拝装置から納骨装置を取り出したりするための、参拝装置の開口部である。図６は、参拝装置の裏側から見た様子を示した図である。参拝装置から取り出された納骨装置は、スライド機構２２により、搬送装置に受け渡され、搬送装置により保管庫へと搬送される。また、スライド機構２４は、別の新しい納骨装置を搬送装置から受け取って、参拝装置の取入れ口２８から参拝装置に配置する機能を有する。スライド機構は、特に限定されないが、例えば、ローラーコンベアーやベルトコンベアーを使用することができる。
【００３２】
本発明の自動納骨堂参拝施設において、参拝装置は複数備えられ、既に説明した搬送装置の働きと、存在する場合は入替装置の働きとにより、この複数の参拝装置に納骨装置が同時又は連続的に配置されるように構成されている。
このような構成とすることにより、複数のフォークにより複数の納骨装置を参拝装置に搬送するとともに、参拝中に次の参拝に備えて納骨装置を搬送することができ、お盆や彼岸などの繁忙期においても参拝の準備時間を短縮することができ、混雑を緩和することができる。
このとき、参拝客による参拝の時間を予めコントロールして、入替対象の複数の参拝装置における参拝を同時に終了させてもよい。また、お盆や彼岸などの繁忙期においては、混雑の状態により、参拝の時間を予め自由に設定してもよい。
本発明において、複数の参拝装置は、搬送装置の構成にも依存するが、参拝施設（建物）内の上下異なる複数のフロアー（階）に設置されていてもよく、または、同一のフロアー（階）に設置されていてもよい。
【００３３】
本発明の自動納骨堂参拝施設の一態様において、入替装置を備える場合に、スライド機構を三つ有していてもよい。この場合、三つのスライド機構のうち二つは、図６を参照しながら既に説明したとおりに使用することができ、残り一つの付加的なスライド機構は、機械故障、システムダウン、停電等のトラブル時の緊急用として使用することができる。例えば、この付加的なスライド機構にご本尊（仏像等）を載置しておくことにより、参拝装置にご本尊を配置して参拝に供することができる。
図７に、本発明の自動納骨堂参拝施設において使用できる入替装置の一態様を示す。図７において、入替装置２０は、台座２１の上にふたつのスライド機構２２、２４と、一つの付加的なスライド機構２６とを有する。スライド機構２２、２４は、図６を参照しながら説明したとおりである。スライド機構２６は、その上にご本尊２７又はそれに類するものを載置して、参拝装置との間で受け渡す機能を有する。図７では、ご本尊２７は横たえた状態でスライド機構２６の上に載置しているが、参拝装置に配置する際には立てた状態で配置することができる。また、スライド機構２６の上にご本尊を立てた状態で載置してもよい。このような付加的なスライド機構を有することにより、トラブルにより納骨装置が参拝装置に配置できない場合に、電動又は手動により、代わりにご本尊を配置することで参拝に備えることが可能となる。
【００３４】
図８に、本発明の自動納骨堂参拝施設の省エネ能力を説明する図を示す。図８に示す長方形は、自動納骨堂参拝施設の保管庫の縦断面を示す図である。保管庫の鉛直方向（図８の縦方向）の「段」（下から上に向かって１段〜２１段）と水平方向（図８の横方向）の「列」（左から右に向かって１列〜２５列）により定まる各位置に、それぞれ納骨装置が保管される。この参拝施設はふたつの参拝装置を備えることとし、図８中のＸとＹは各参拝装置の位置を示す。参拝装置は列１（ＸとＹ）に位置し、列の番号が小さい数から大きい数になるにしたがって、参拝装置から遠い距離にあることを意味する。
【００３５】
この参拝装置において、保管庫の位置Ａ（３列、１２段）、Ａ１（３列、２段）、Ａ２（３列、１７段）、Ａ３（８列、７段）、Ｂ（１３列、１２段）、Ｂ１（１３列、２段）、Ｂ２（１３列、１７段）、Ｂ３（１３列、７段）、Ｃ（２３列、１２段）、Ｃ１（２３列、２段）、Ｃ２（２３列、１７段）、Ｃ３（１８列、７段）の１２の位置に収納された納骨装置を表１に示す特定の組合せで参拝装置まで搬送する場合に、複数のフォークを備える本発明の自動納骨堂参拝施設と、単一のフォークを備える従来の自動納骨堂参拝施設とで、移動距離（すなわち、水平方向に移動した列数の合計）を比較した。尚、実際には、フォークは鉛直方向（図８の縦方向）にも移動し得るが、上記Ｘ、Ｙの位置から搬送する場合、水平方向の移動距離が長く、鉛直方向の移動距離の影響は小さいため、考慮しなかった。
【００３６】
【表１】
2017031742.tif 000003
【００３７】
表１に示すとおり、従来の単一フォークではふたつの納骨装置を搬送するために必ず二往復することが必要であり、表に示す１２通りの組合せの納骨装置を搬送するのに３３８列の移動距離を要する。一方、本発明の自動納骨堂参拝施設は、フォークを二つ備えるため、ふたつの納骨装置を搬送するために一往復するだけでよく、移動距離は２２４列で済み、省エネを図ることができることが明白である。このモデルでは、本発明の自動納骨堂参拝施設では従来より０．６６倍（２２４／３３８）の移動距離で済むことが分かる。
【００３８】
以上説明した本発明の自動納骨堂参拝施設の種々の態様は、本明細書中に特に具体的に説明した場合の他、任意の二以上の態様を適宜組み合わせてもよい。
【産業上の利用可能性】
【００３９】
本発明の自動納骨堂参拝施設は、現在一般的に使用されている自動倉庫において利用することにより性能を簡単かつ大幅に向上させることができる。現在使用されている自動倉庫は単独のフォークと単独の受出し口しかない。対照的に、本発明の参拝施設は、複数フォークと複数の受出し口を備えるもので、自動倉庫として従来存在しなかった構成を有するため、従来にない参拝施設である。さらに、本発明の自動納骨堂参拝施設において参拝の時間をコントロールすることにより、繁忙期の混雑解消や、待ち時間の短縮に資することができ、利用可能性にすぐれたものとすることができる。
【符号の説明】
【００４０】
１、１Ａ、１Ｂ  フォーク；２、２Ａ、２Ｂ  フォーク；３、３Ａ、３Ｂ  支持部材；４、４Ａ、４Ｂ  昇降装置；５、５Ａ、５Ｂ  昇降装置；６、６Ａ、６Ｂ  走行装置；７  走行レール；８  連結装置；１０  搬送装置；２０  入替装置；２１  台座；２２、２４、２６  スライド機構；２７  ご本尊；２８  参拝装置の取入れ口
【図１】
2017031742.tif 000004
【図２】
2017031742.tif 000005
【図３】
2017031742.tif 000006
【図４】
2017031742.tif 000007
【図５】
2017031742.tif 000008
【図６】
2017031742.tif 000009
【図７】
2017031742.tif 000010
【図８】
2017031742.tif 000011